(57)【特許請求の範囲】
【請求項１】
上枠および左右の縦枠を有する枠体と、
前記枠体内に開閉可能に設けられた可動障子とを備え、脱衣室と浴室とを連通する開口部に設けられる建具であって、
前記縦枠は、
前記枠体の見込み方向に沿って設けられる見込み片部と、
前記見込み片部の前記脱衣室側の端部から前記枠体の内周側に突出する見付け片部と、
前記見込み片部の前記脱衣室側の端部と、前記見込み片部の前記浴室側の端部との間であり、かつ、前記開口部を閉鎖する位置に移動された前記可動障子の縦框よりも前記脱衣室側の位置で、前記見込み片部から前記枠体の内周側に突出する突出片部とを備え、
前記突出片部の見付け寸法は、前記縦框の脱衣室側の面を被覆する寸法であり、
前記縦枠は、
前記見付け片部と前記突出片部の間で前記見込み片部からねじ込まれるネジと、
見込み方向の位置が前記突出片部よりも浴室側の位置に設けられた第２のネジと、
によって前記開口部に固定される
ことを特徴とする建具。
【請求項２】
請求項１に記載の建具において、
前記縦枠には、前記見込み片部にねじ込まれたネジの頭を被覆するカバー部材が取り付けられている
ことを特徴とする建具。
【請求項３】
請求項２に記載の建具において、
前記縦枠は、前記突出片部および前記見付け片部を連結する連結片部を備え、
前記連結片部には、前記縦枠の長手方向に連続する溝部が形成され、
前記溝部には前記ネジが挿通可能な孔が形成され、
前記溝部に前記カバー部材が装着されている
ことを特徴とする建具。
【請求項４】
請求項１から請求項３のいずれか一項に記載の建具において、
前記縦枠は、前記見付け片部から前記脱衣室側に突出されさらに折曲された見切り片部を備える
ことを特徴とする建具。
【請求項５】
請求項１から請求項４のいずれか一項に記載の建具において、
前記上枠は、前記枠体の見込み方向に沿って設けられる見込み片部と、
前記見込み片部の前記脱衣室側の端部から前記枠体の内周側に突出する見付け片部とを備え、
前記上枠は、前記見込み片部から躯体にねじ込まれるネジによって前記躯体に固定され、
前記上枠および縦枠の見付け片部の脱衣室側には壁材が配置されている
ことを特徴とする建具。
【発明の詳細な説明】
【技術分野】
【０００１】
本発明は、浴室と脱衣室との出入り口に設けられる浴室ドアや浴室引戸等の建具に関する。
【背景技術】
【０００２】
浴室と脱衣室との出入り口用の建具として、建具枠と、この建具枠に開閉自在に支持された障子とを備える建具が知られてる（例えば、特許文献１参照）。
ここで、脱衣室の壁は、建物の柱などの躯体の表面に石膏ボードを貼り、さらに石膏ボードの表面にクロス（壁紙）を貼って仕上げていた。
前記建具枠は、浴室を構成するユニットバスの壁と、脱衣室の壁面とにネジで固定されている。この際、石膏ボードにネジをねじ込むと、石膏ボードが割れてしまうため、躯体（柱）の表面に額縁を配置し、この額縁にネジをねじ込んで建具枠を取り付けていた（特許文献１の図１、図２、図４）。
【先行技術文献】
【特許文献】
【０００３】
【特許文献１】特許第５４１９７８５号公報
【発明の概要】
【発明が解決しようとする課題】
【０００４】
しかしながら、前記特許文献１では、躯体に額縁を取り付けなければならず、部材点数が増加する。また、建具枠を額縁に固定するネジの頭が建具枠の表面に露出し、意匠性が低下する。さらに、脱衣室のクロス仕上げの壁面や天井面と、アルミ製などの建具枠との間に、額縁が配置されるため、脱衣室の壁面や天井部分においては、クロス仕上げ、額縁、建具枠の色や質感が異なる部材が併設されるため、すっきりとした仕上げを求めるユーザーの要望に対して対応できないという課題がある。
このため、前記ネジ部分を被覆するために、石膏ボードおよびクロス等で構成される壁材を配置することも考えられるが、リフォーム時などの建具枠を交換する場合には、前記壁材を外さないとネジを外して建具枠を取り外すことができず、建具枠の交換作業が繁雑になるという課題もある。
【０００５】
本発明の目的は、交換作業を容易にでき、かつ、意匠性も向上できる建具を提供することにある。
【課題を解決するための手段】
【０００６】
本発明の建具は、上枠および左右の縦枠を有する枠体と、前記枠体内に開閉可能に設けられた可動障子とを備え、脱衣室と浴室とを連通する開口部に設けられる建具であって、前記縦枠は、前記枠体の見込み方向に沿って設けられる見込み片部と、前記見込み片部の前記脱衣室側の端部から前記枠体の内周側に突出する見付け片部と、前記見込み片部の前記脱衣室側の端部と、前記見込み片部の前記浴室側の端部との間であり、かつ、前記開口部を閉鎖する位置に移動された前記可動障子の縦框よりも前記脱衣室側の位置で、前記見込み片部から前記枠体の内周側に突出する突出片部とを備え、前記突出片部の見付け寸法は、前記縦框の脱衣室側の面を被覆する寸法であり、前記縦枠は、前記見付け片部と前記突出片部の間で前記見込み片部からねじ込まれるネジと、見込み方向の位置が前記突出片部よりも浴室側の位置に設けられた第２のネジと、によって前記開口部に固定されることを特徴とする。
【０００７】
本発明によれば、前記見込み片部を固定するネジは、建物の躯体などに直接ねじ込むことができるので、脱衣室の壁面に額縁を配置する必要が無い。このため、脱衣室の壁面を、石膏ボードの表面にクロスを貼った壁材で覆った場合に、この壁材を前記見付け片部の位置まで設けることで、脱衣室の壁面のクロス仕上げが建具枠部分まで延長されており、クロス仕上げの壁面と、アルミ製などの建具枠との間に、額縁が配置されないため、脱衣室の壁面をすっきりとした意匠に仕上げることができる。
【０００８】
本発明の建具において、前記縦枠には、前記見込み片部にねじ込まれたネジの頭を被覆するカバー部材が取り付けられていることが好ましい。
【０００９】
前記枠体の左右の縦枠にカバー部材を取り付けて、前記ネジの頭を被覆すれば、前記ネジが建具枠の内周面にも露出しないため、建具枠の意匠性を向上できる。
【００１０】
本発明の建具において、前記縦枠は、前記突出片部および前記見付け片部を連結する連結片部を備え、前記連結片部には、前記縦枠の長手方向に連続する溝部が形成され、前記溝部には前記ネジが挿通可能な孔が形成され、前記溝部に前記カバー部材が装着されていることが好ましい。
【００１１】
このような構成によれば、縦枠には、見込み片部と、前記見込み片部から枠体の内周側に突出する突出片部および見付け片部と、前記突出片部および前記見付け片部を連結する連結片部とで区画される中空部が形成される。そして、連結片部に溝部が形成され、前記溝部にネジが挿通可能な孔が形成されるため、前記ネジは前記中空部内で見込み片部にねじ込まれる。このため、前記ネジは、突出片部および見付け片部間に配置され、脱衣室側は前記見付け片部で被覆され、浴室側は突出片部で被覆され、内周側は前記連結片部およびカバー部材で被覆される。したがって、前記ネジを完全に隠すことができ、縦枠の意匠性を向上できる。
【００１２】
本発明の建具において、前記縦枠は、前記見付け片部から前記脱衣室側に突出されさらに折曲された見切り片部を備えることが好ましい。
【００１３】
このような構成によれば、見付け片部まで壁材を設けた際に、見付け片部および壁材の隙間部分を前記見切り片部で隠すことができる。このため、建具枠の縦枠と、壁材との連結部分の意匠性を向上できる。
【００１４】
本発明の建具において、前記上枠は、前記枠体の見込み方向に沿って設けられる見込み片部と、前記見込み片部の前記脱衣室側の端部から前記枠体の内周側に突出する見付け片部とを備え、前記上枠は、前記見込み片部から躯体にねじ込まれるネジによって前記躯体に固定され、前記上枠および縦枠の見付け片部の脱衣室側には壁材が配置されていることが好ましい。
【００１５】
このような構成によれば、浴室および脱衣室の出入り口に配置される浴室引戸や浴室ドアなどの建具において、上枠および縦枠と、脱衣室内の壁材との間に額縁を配置する必要がない。このため、浴室出入り口においては、脱衣室の壁材と、建具枠の縦枠、上枠と、ユニットバスの壁材とが順に並んで配置され、額縁が不要になるため、シンプルな納まりにできる。
さらに、浴室などの水回り部分は、リフォームで交換する場合があるが、この際、浴室出入り口の建具は、脱衣室の壁材を外すことなく交換できるため、リフォーム作業を容易に行うことができる。
【発明の効果】
【００１６】
本発明の建具によれば、建具枠の交換作業を容易にでき、かつ、意匠性も向上できる建具を提供することにある。
【図面の簡単な説明】
【００１７】
【図１】本実施形態に係る浴室出入口用の建具を脱衣室側から見た正面図。
【図２】図１のII-II線で示す前記建具の横断面図。
【図３】図１のIII-III線で示す前記建具の縦断面図。
【図４】図１のIV-IV線で示す前記建具の縦断面図。
【発明を実施するための形態】
【００１８】
以下、本発明の実施形態に係る浴室出入り口用の建具としての片引き戸１を図面に基づいて説明する。
図１〜図４において、片引き戸１は、繊維強化プラスチック製の浴槽や浴室床（防水パン）、浴室壁等からなる浴室ユニットで構成された浴室と、この浴室に隣接して洗面台や洗濯パン等が設置される脱衣室との出入り口に用いられる建具である。
この片引き戸１は、枠体である建具枠２と、建具枠２の内部に片引き形式に開閉可能に支持された１枚の可動面材である可動障子４と、建具枠２の内部に固定された１枚の固定面材である固定障子６とを備えて構成されている。
【００１９】
［建具の概略構成］
建具枠２は、上枠２１、下枠２２および左右の縦枠２３，２４を枠組みして構成されている。
可動障子４は、上框４１、下框４２および左右の縦框４３，４４を枠組みした内部に、合成樹脂製や強化ガラス製のパネル４５を取り付けて構成されている。パネル４５には、可動障子４を開閉操作するためのハンドル４５１が固定されている。
固定障子６は、上框６１、下框６２および左右の縦框６３，６４を枠組みした内部に、合成樹脂製や強化ガラス製のパネル６５を嵌めこんで構成されている。
以下、本発明の要部である建具枠２の構成を詳細に説明する。
【００２０】
［建具枠］
建具枠２の上枠２１は、図３，４に示すように、上枠２１の見込み方向にほぼ沿って配置された見込み片部２１１と、見込み片部２１１の浴室側端縁から上方に延長された見付け片部２１２と、見込み片部２１１の浴室側端縁から下方に延長された垂下片部２１３と、見込み片部２１１の脱衣室側端部から下方に延長された見付け片部２１４とを備えている。
【００２１】
垂下片部２１３および見付け片部２１４の下端縁の高さ位置は、略同じ高さ位置に設定されている。また、見付け片部２１４の下端には、脱衣室側に突出されさらに上方に折曲されて断面略Ｌ字状に形成された見切り片部２１５が連続して形成されている。見切り片部２１５は、壁材１１の下面に当接し、壁材１１の端面と上枠２１との隙間を脱衣室から視認できないように隠している。
また、見付け片部２１４の下端には、浴室側に突出する突起部２１６が形成されている。この突起部２１６は、後述する上枠アタッチメント２７を係止するために設けられている。
なお、壁材１１は、石膏ボード１１１の表面にクロス１１２を貼って構成されており、脱衣室の天井部分に取り付けられる。
【００２２】
上枠２１において、垂下片部２１３および見込み片部２１１の接合部分には中空部（ホロー部）が形成され、後述するように、可動障子４の上レール部２８として機能する垂下片部２１３の剛性を向上させている。
見込み片部２１１には、後述する弁部材２５を回動自在に軸支する軸受部２１７が形成されている。
【００２３】
このように構成された上枠２１は、見込み片部２１１にねじ込まれたネジ１８で躯体（図示略）に固定されている。
この際、前記見込み片部２１１は、見付け片部２１４の下端部よりも上方つまり奥まった位置に設けられている。このため、壁材１１が納まる見付け位置よりも奥まった位置（上方位置）にネジ１８が配置され、ネジ１８を直接躯体にねじ込むことができる。さらに、見込み片部２１１が壁材１１の浴室側端面（見付け片部２１４に対向する端面）よりも浴室側に設けられているので、見込み片部２１１が壁材１１で覆われることがなく、壁材１１を外すことなく、ネジ１６をねじ込んだり、外したりすることができる。
【００２４】
上枠２１には、図３に示す上枠アタッチメント２７が配置されている。上枠アタッチメント２７は、固定障子６の召合せ框である縦框６４と、縦枠２３との間に配置されている。上枠アタッチメント２７は、上枠２１の垂下片部２１３に対向する対向片部２７１と、対向片部２７１の下端部から脱衣室側に延出された延出片部２７２とを備えて断面略Ｌ字状に形成されている。
対向片部２７１には、対向片部２７１の全長に渡って溝が形成され、この溝には、一対のリップシール部を有する気密材２７３が装着されている。
上枠アタッチメント２７の延出片部２７２の脱衣室側端部は前記突起部２１６で支持され、対向片部２７１の上端は見込み片部２１１に当接している。この上枠アタッチメント２７は、図示略のネジによって縦枠２３および縦框６４に固定されている。
【００２５】
下枠２２は、図３、図４に示すように、略四角筒状に形成された中空部２２１と、中空部２２１から浴室側に延出された延出片部２２２と、中空部２２１から脱衣室側に延出された固定片部２２３とを備えている。
延出片部２２２の上面には、下レール部２２４が形成されている。下レール部２２４には、後述する可動障子４の戸車４７１が案内される。
中空部２２１の上面には下枠２２の全長に渡って連続する溝を形成する溝形成部２２５が設けられている。溝形成部２２５の略中間部には、固定障子６の縦框６４が配置されている。このため、溝形成部２２５に形成された溝は、縦框６４によって左右に分断されている。
溝形成部２２５において、縦框６４から縦枠２４までの溝には、図４に示すように、固定障子６の下框６２の突起が係合している。また、溝形成部２２５において、縦框６４から縦枠２３までの溝には、図３に示すように、気密材２２７が装着されている。気密材２２７は、可動障子４の下框４２に当接し、可動障子４を閉めた際に、下框４２および下枠２２間をシールしている。
【００２６】
下枠２２の固定片部２２３は、脱衣室の床材１２上に載置されている。この固定片部２２３の表面には、下枠２２の全長に渡って連続する溝が形成され、この溝部分から床材１２にネジ１７をねじ込むことで、下枠２２が床材１２に固定されている。この溝には、全長に渡ってカバー２２９が装着され、ネジ１７が露出しないように被覆している。
【００２７】
縦枠２３は、図２に示すように、可動障子４の戸先側の縦框４３に対向して配置されている。この縦枠２３は、建具枠２の見込み方向に沿って配置された見込み片部２３１と、見込み片部２３１の見込み方向の中間部から建具枠２の内周側に突出された突出片部２３２と、見込み片部２３１の脱衣室側端部から建具枠２の内周側に突出された見付け片部２３３と、突出片部２３２および見付け片部２３３間を連結する連結片部２３４と、見付け片部２３３および連結片部２３４の接続部から脱衣室側に突出されさらに側方に折曲されて断面略Ｌ字状に形成された見切り片部２３５とを備えている。このため、見込み片部２３１の脱衣室側と、突出片部２３２と、見付け片部２３３と、連結片部２３４とで中空部２３０を形成している。
突出片部２３２の浴室側の面には、突出片部２３２の全長に渡って溝が形成され、この溝には一対のリップシール部を有する気密材２３６が装着されている。
【００２８】
縦枠２４は、固定障子６の戸先側の縦框６３に対向して配置されている。この縦枠２４は、建具枠２の見込み方向に沿って配置された見込み片部２４１と、見込み片部２４１から建具枠２の内周側に突出された突出片部２４２と、見込み片部２４１の脱衣室側端部から建具枠２の内周側に突出された見付け片部２４３と、突出片部２４２および見付け片部２４３間を連結する連結片部２４４と、見付け片部２４３および連結片部２４４の接続部から脱衣室側に突出されさらに側方に折曲されて断面略Ｌ字状に形成された見切り片部２４５とを備えている。このため、見込み片部２４１の脱衣室側と、突出片部２４２と、見付け片部２４３と、連結片部２４４とで中空部２４０を形成している。
なお、縦枠２３の突出片部２３２が可動障子４の脱衣室側の位置に形成されているのに対し、縦枠２４の突出片部２４２は、固定障子６の脱衣室側の位置に形成されている。このため、突出片部２４２は、突出片部２３２よりも脱衣室側に位置しており、連結片部２４４の見込み方向の長さ寸法も連結片部２３４に比べて短くなっている。
【００２９】
縦枠２３、２４の浴室側は、ユニットバス（図示略）の壁に第２のネジ１５で固定されている。また、縦枠２３、２４の脱衣室側は躯体７にネジ１６で固定されている。この際、ネジ１６は、各縦枠２３、２４の中空部２３０、２４０、つまり突出片部２３２、２４２と見付け片部２３３、２４３の間に設けられている。このため、各連結片部２３４、２４４には、上下方向に連続する凹溝が形成され、この凹溝の底辺にはネジ１６を挿通可能な孔が開口されている。この凹溝には、前記開口を塞ぐカバー部材であるカバー２３９、２４９が全長に渡って取り付けられている。
【００３０】
このように縦枠２３、２４は、見込み片部２３１、２４１にねじ込まれたネジ１６で躯体７に固定されている。
この際、前記見込み片部２３１、２４１は、見付け片部２３３、２４３の先端（内周端）よりも外側つまり奥まった位置に設けられ、かつ、壁材１３、１４よりも浴室側に設けられている。このため、壁材１３、１４が納まる見付け位置よりも奥まった位置（外方位置）にネジ１６が配置され、ネジ１６を直接躯体にねじ込むことができる。さらに、見込み片部２３１、２４１が壁材１３、１４の浴室側端面（見付け片部２３３、２４３に対向する端面）よりも浴室側に設けられているので、見込み片部２３１、２４１が壁材１３、１４で覆われることがなく、壁材１３、１４を外すことなく、ネジ１６をねじ込んだり、外したりすることができる。
また、ネジ１６の見込み方向の位置は、左右の縦枠２３、２４においてほぼ同じ位置であり、突出片部２４２よりも脱衣室側の位置、すなわち、見付け片部２３３、２４３の近傍位置に設定されている。このため、第２のネジ１５およびネジ１６を縦枠２３、２４の見込み方向に離れて配置でき、縦枠２３、２４に回転方向のモーメントが加わっても、その力を効果的に支持することができる。
【００３１】
縦枠２３、２４の見切り片部２３５、２４５は、脱衣室側の端縁が脱衣室の躯体（壁）７に貼られた壁材１３、１４の表面に当接し、壁材１３、１４の端面と縦枠２３、２４との隙間を脱衣室から視認できないように隠している。
ここで、本実施形態では、各躯体７の対向面、つまり片引き戸１が設置される開口部の内周面に沿って配置される壁材１３、１４と、躯体７の脱衣室側の面に沿って配置される壁材１３、１４とが設けられている。そして、クロス１３２は、２つの壁材１３に連続して貼られており、クロス１４２は、２つの壁材１４に連続して貼られている。
なお、壁材１３、１４は、壁材１１と同様に、石膏ボード１３１、１４１の表面にクロス１３２、１４２を貼って構成されており、脱衣室の壁部分に取り付けられる。
【００３２】
［固定障子］
図４に示すように、固定障子６の上框６１、下框６２は、中空部６１１，６２１と、パネル６５を保持する保持溝部６１３、６２３とを備えている。
図２に示すように、戸先框である縦框６３は、コ字状に折曲された本体部６３１と、パネル６５を保持する保持溝部６３３とを備えている。
召合せ框である縦框６４は、中空部６４１と、パネル６５を保持する保持溝部６４３とを備えている。
【００３３】
保持溝部６１３、６２３、６３３、６４３は、上框６１、下框６２、縦框６３、縦框６４の見込み方向の中心位置よりも浴室側に形成され、保持溝部６１３、６２３、６３３、６４３で保持されるパネル６５も固定障子６の見込み方向の中心位置に対して、浴室側にオフセットして配置されている。
【００３４】
上框６１、下框６２の中空部６１１，６２１には、縦框６３、６４との接合用のネジ６６がねじ込まれるビスホール部が形成されている。ネジ６６の頭は、縦框６４の中空部６４１内および、縦框６３の本体部６３１の裏面側に配置されているので、脱衣室側から固定障子６を視認した際に、縦框６３，６４の表面にネジ６６は露出しない。
【００３５】
図４に示すように、固定障子６の上框６１において、上枠２１の垂下片部２１３に対向する対向片部６１２には、上框６１の全長に渡って溝が形成され、この溝には一対のリップシール部を有する気密材６１４が装着されている。
このため、上枠２１の全長に渡って形成されている垂下片部２１３と、垂下片部２１３に対向する前記上枠アタッチメント２７の対向片部２７１および上框６１の対向片部６１２とによって、可動障子４を案内する溝状の上レール部２８が構成されている。
【００３６】
図２に示すように、固定障子６の縦框６４において、浴室側の面には縦框６４の全長に渡って溝が形成され、この溝には一対のリップシール部を有する気密材６４４が装着されている。
さらに、固定障子６の縦框６４の上端は、上枠２１の見込み片部２１１にほぼ当接され、縦框６４の浴室側の端縁は、上框６１の浴室側端縁と略同一面の位置に配置されている。
固定障子６は、縦框６３がネジ６６１、ブラケット６７、ネジ６６２を用いて縦枠２４に固定され、下框６２がネジ６９や図示略のブラケットを用いて下枠２２に固定されている。
【００３７】
［可動障子］
図３に示すように、可動障子４の上框４１、下框４２は、中空部４１１，４２１と、パネル４５を保持する保持溝部４１３、４２３とを備えている。同様に、図２に示すように、戸先框である縦框４３と、召合せ框である縦框４４は、中空部４３１，４４１と、パネル４５を保持する保持溝部４３３、４４３とを備えている。
保持溝部４１３、４２３、４３３、４４３は、中空部４１１、４２１、４３１、４４１の浴室側に配置されており、保持溝部４１３、４２３、４３３、４４３で保持されるパネル４５も可動障子４の見込み方向の中心位置に対して、浴室側にオフセットして配置されている。
【００３８】
上框４１、下框４２の中空部４１１，４２１には、縦框４３、４４との接合用のネジ４６がねじ込まれるビスホール部が形成されている。ネジ４６の頭は、縦框４３、４４の中空部４３１、４４１内に配置されているので、脱衣室側から可動障子４を視認した際に、縦框４３，４４の表面にネジ４６は露出しない。
また、下框４２の中空部４２１内には、戸車ユニット４７が取り付けられている。戸車ユニット４７の戸車４７１は、中空部４２１の下面に形成された開口に配置され、下枠２２の下レール部２２４で案内される。
下框４２には、下枠２２の延出片部２２２に接触する気密材４２６が取り付けられている。
【００３９】
このような可動障子４は、上枠２１に設けられた溝状の上レール部２８に、上框６１部分が案内され、下枠２２に設けられた下レール部２２４に、下框６２に設けられた戸車４７１が案内され、上枠２１および下枠２２に沿ってスライド開閉できるようになっている。
また、可動障子４の閉鎖状態において、固定障子６の縦框６４に取り付けられた気密材６４４に、可動障子４の縦框４４の脱衣室側の面が当接する。また、縦枠２３に取り付けられた気密材２３６に、可動障子４の縦框４３の脱衣室側の面が当接する。さらに、上枠アタッチメント２７に取り付けられた気密材２７３に、可動障子４の上框４１の脱衣室側の面が当接し、下枠２２に取り付けられた気密材２２７に、可動障子４の下框４２の脱衣室側の面が当接する。
これらの気密材２２７、２３６、２７３、６４４が可動障子４の各框４１〜４４に当接することで、可動障子４を閉めた際の浴室と脱衣室との間の止水性が確保される。
【００４０】
［換気経路］
建具枠２の上枠２１と、固定障子６の上框６１との間には、浴室と脱衣室とを連通させる換気経路３０が形成されている。また、上枠２１の見込み片部２１１の軸受部２１７には、固定障子６の上框６１の略全長に対応して設けられて、換気経路３０を開閉可能な弁部材２５が取り付けられている。
この弁部材２５は、脱衣室と浴室との気圧差によって開閉するものであり、脱衣室と浴室との気圧差がない場合には、図４に二点鎖線で示すように、弁部材２５の下端部に設けられたモヘア２５１が上框６１の対向片部６１２に当接して換気経路３０が閉鎖されるように構成されている。
一方、可動障子４を閉じた状態で浴室の換気扇等を駆動して浴室の気圧が下がった場合には、図４に実線で示すように、弁部材２５の下端部が浴室側に回動して換気経路３０が開放され、これによって浴室の換気が行われる。
【００４１】
［建具枠の施工］
建物の柱、梁などの躯体が組み立てられた状態であれば、壁材１１、壁材１３、壁材１４などが仕上げられていない状態でもユニットバスを施工できる。そして、片引き戸１は、ユニットバスの壁と柱などの躯体とに、ネジ１５、１６、１８で固定されるため、ユニットバスの施工業者がユニットバスの施工時に片引き戸１の取付作業を完結することができる。
したがって、内壁などを仕上げる大工の作業スケジュールに左右されず、かつ、ユニットバスの施工業者が浴室出入り口の建具の仕上げも管理できる。
【００４２】
このような本実施形態によれば、以下のような効果がある。
片引き戸１の上枠２１および左右の縦枠２３、２４は、見込み片部２１１、２３１、２４１と、見付け片部２１４、２３３、２４３とを備える。そして、片引き戸１を柱などの躯体に固定する場合には、見込み片部２１１、２３１、２４１から躯体にネジ１６、１８をねじ込むことで固定している。この際、見込み片部２１１、２３１、２４１の脱衣室側には見付け片部２１４、２３３、２４３が建具枠２の内周側に突出されているので、前記見込み片部２１１、２３１、２４１は奥まった位置に配置され、見込み片部２１１、２３１、２４１にねじ込まれたネジ１６、１８は、見付け片部２１４、２３３、２４３で隠されて脱衣室からは視認できない。したがって、片引き戸１において脱衣室から視認できる部分にネジ１６、１８が露出しないので、片引き戸１の意匠性を向上できる。
【００４３】
見込み片部２１１、２３１、２４１を固定するネジ１６、１８は、躯体に直接ねじ込むことができるので、脱衣室の壁面や天井面に額縁を配置する必要が無い。このため、脱衣室の壁面や天井面を、壁材１１、１３、１４で覆った場合に、壁材１１、１３、１４を見付け片部２１４、２３３、２４３の部分まで設けることで、脱衣室のクロス仕上げを建具枠２まで延長できる。したがって、クロス仕上げの壁面や天井面と、アルミ製の建具枠２との間に、木製等の額縁が配置されないため、脱衣室の壁面、天井面をすっきりとした意匠に仕上げることができる。
前記ネジ１６、１８は、壁材１１、１３、１４で被覆されていないので、リフォーム時などの建具枠２を交換する場合に、壁材１１、１３、１４を外さずにネジ１６、１８を外して建具枠２を取り外すことができ、建具枠２の交換作業を容易に行うことができる。特に、見付け片部２１４、２３３、２４３を見込み片部２１１、２３１、２４１の脱衣室側端部から突出させており、見付け片部２１４、２３３、２４３の脱衣室側に突出片（ヒレ部分）が設けられていないので、この点でも壁材１１、１３、１４を外さずに建具枠２を容易に交換できる。
【００４４】
その上、上枠２１において換気経路３０が形成されていない部分には、上枠アタッチメント２７を取り付けており、この上枠アタッチメント２７でネジ１８を隠すことができる。また、縦枠２３、２４にはカバー２３９、２４９を取り付けているので、前記ネジ１６を隠すことができる。このため、特に、可動障子４を開いて浴室に出入りする出入り口部分においては、前記ネジ１６、１８が上枠アタッチメント２７やカバー２３９、２４９で被覆されて露出しないため、建具枠２の意匠性を向上できる。
さらに、下枠２２の固定片部２２３を床材１２に固定するネジ１７もカバー２２９で被覆されて露出しないため、建具枠２の意匠性をより向上できる。
縦枠２３、２４を固定するネジ１６は、中空部２３０、２４０に配置されているので、浴室側にも露出することがない。このため、前記ネジ１６を完全に隠すことができ、縦枠２３、２４の意匠性を一層向上できる。
【００４５】
建具枠２の上枠２１、縦枠２３、２４の見付け片部２１４、２３３、２４３と、壁材１１、１３、１４との隙間部分を、見切り片部２１５、２３５、２４５で隠しているので、建具枠２の上枠２１、縦枠２３、２４と、壁材１１、１３、１４との連結部分の意匠性を向上できる。
【００４６】
また、建具枠２の上枠２１、縦枠２３、２４の脱衣室側は、壁材１１、１３、１４で覆われており、見切り片部２１５、２３５、２４５部分のみが露出するだけである。
さらに、建具枠２の下枠２２の脱衣室側も、中空部２２１が床材１２で覆われており、固定片部２２３部分が露出するだけである。
したがって、脱衣室側から片引き戸１を見た際に、各枠も殆ど露出しないため、片引き戸１の意匠性をより向上できる。
【００４７】
上枠２１の見付け片部２１４の下端縁が、上框６１の下面と同一高さ位置に設定されているので、脱衣室側から上枠２１部分を視認した際に、上框６１が見付け片部２１４で覆われて隠される。このため、片引き戸１の上枠２１部分における脱衣室側からの意匠性も向上できる。
【００４８】
上枠２１の垂下片部２１３の下端縁が、上框６１の下面と同一高さ位置に設定されているので、浴室側から上枠２１部分を視認した際に、上框６１が垂下片部２１３で覆われて隠される。このため、片引き戸１の上枠２１部分における浴室側からの意匠性も向上できる。
【００４９】
さらに、可動障子４の上框４１の下面と、上枠アタッチメント２７の延出片部２７２の下面とがほぼ同一面とされているので、上框４１の脱衣室側を上枠アタッチメント２７で被覆できる。
また、可動障子４の縦框４３の内面（縦框４４に対向する面）と、縦枠２３の連結片部２３４とがほぼ同一面とされているので、縦框４３の脱衣室側を縦枠２３の中空部２３０で被覆できる。
同様に、固定障子６の縦框６３の内面（縦框６４に対向する面）と、縦枠２４の連結片部２４４とがほぼ同一面とされているので、縦框６３の脱衣室側を縦枠２４の中空部２４０で被覆できる。
これらにより、可動障子４を閉めた状態では、各障子４，６の戸先框（縦框４３、縦框６３）および上框４１，６１は脱衣室側から視認されず、建具枠２で隠された状態となるため、片引き戸１において框部分が目立たない、シンプルな意匠を実現できる。
【００５０】
その上、障子４の縦框４４と固定障子６の縦框６４とは見込み方向に重なっており、脱衣室側からは縦框４４が縦框６４で隠され、浴室側からは縦框６４が縦框４４で隠されるので、片引き戸１の召合せ框部分もシンプルなデザインにでき、片引き戸１の意匠性をより向上できる。
【００５１】
［変形例］
本発明は、以上の実施形態で説明した構成のものに限定されず、本発明の目的を達成できる範囲での変形例は、本発明に含まれる。
例えば、前記実施形態では、上枠２１、縦枠２３、２４に見切り片部２１５、２３５、２４５を形成していたが、このような見切り片部２１５、２３５、２４５が無い上枠２１、縦枠２３、２４を用いてもよい。ただし、壁材１１、１３、１４と建具枠２との隙間部分を容易に被覆できる点では、見切り片部２１５、２３５、２４５を有する前記実施形態が好ましい。
【００５２】
縦枠２３，２４は中空部２３０、２４０を有するものに限定されず、例えば連結片部２３４、２４４を備えない断面形状の形材を用いてもよい。ただし、ネジ１６を完全に隠すことが難しいため、前記実施形態が好ましい。
縦枠２３，２４はカバー２３９、２４９を備えるものに限定されない。ただし、カバー２３９、２４９を設けることで、ネジ１６を完全に被覆することができる点で、前記実施形態が好ましい。
【００５３】
また、前記実施形態では、浴室出入り口用の建具として、片引き戸１を例示して説明したが、本発明の建具は、１枚の面材（障子）を有したものに限らず、２枚以上の面材が片引き形式に開閉自在に支持されたものでもよく、２枚の面材が各々逆方向に片引き形式に支持されて左右両側に固定障子６が設けられた引き分け開放形式のものでもよい。
【００５４】
また、浴室出入り口用の建具としては、引戸形式のものに限らず、浴室ドアや浴室折れ戸などでもよい。
【符号の説明】
【００５５】
１…建具である片引き戸、２…枠体である建具枠、４…可動障子、６…固定障子、７…躯体、１１、１３、１４…壁材、１２…床材、１５、１６、１７、１８…ネジ、２１…上枠、２２…下枠、２３…縦枠、２４…縦枠、２５…弁部材、２７…上枠アタッチメント、２８…上レール部、３０…換気経路、２１１、２３１、２４１…見込み片部、２１４、２３３、２４３…見付け片部、２１５、２３５、２４５…見切り片部、２３９、２４９…カバー、２３２、２４２…突出片部、２３４、２４４…連結片部。
【図１】
0006682187.tif 000002
【図２】
0006682187.tif 000003
【図３】
0006682187.tif 000004
【図４】
0006682187.tif 000005